【手続補正書】
【提出日】平成20年7月17日(2008.7.17)
【手続補正１】
【補正対象書類名】明細書
【補正対象項目名】特許請求の範囲
【補正方法】変更
【補正の内容】
【特許請求の範囲】
【請求項１】  暗号化メディアコンテントを送信する方法であって、
デジタルメディアコンテントをキーにより暗号化して、暗号化メディアコンテントを形成するステップと、
（ａ）前記暗号化メディアコンテント；および（ｂ）前記キーを生成するために使用することができる制御語を生成するための制御語生成情報を送信装置に転送するステップと、
前記暗号化メディアコンテントを解読するための解読キーを受信者に生成させることを可能にするために前記制御語生成情報を変換して変換制御語生成情報を形成するステップと、ただし、前記変換制御語生成情報は、前記受信者だけが前記変換制御語生成情報を使用して前記暗号化メディアコンテントを解読することができるように個人化されている、
前記暗号化メディアコンテントおよび前記変換制御語生成情報を前記受信者に送信するステップと
を含む方法。
【請求項２】  少なくとも前記変換制御語生成情報が前記送信装置によって前記暗号化メディアコンテントとは別個に送信される請求項１に記載の方法。
【請求項３】  前記変換制御語生成情報が少なくとも部分的に前記受信者の少なくとも１つの特徴に従って生成される請求項１または２に記載の方法。
【請求項４】  前記受信者が前記解読キーを生成するように、前記変換制御語生成情報が前記受信者に送られる請求項３に記載の方法。
【請求項５】  前記変換制御語生成情報が前記受信者からの要求により前記送信装置によって生成される請求項３または４に記載の方法。
【請求項６】  少なくとも前記変換制御語生成情報が前記送信装置によって前記暗号化メディアコンテントと共に送信される請求項１または３〜５のいずれかに記載の方法。
【請求項７】  前記暗号化メディアコンテントが複数のセグメントに分割され、各セグメントが異なるキーで暗号化される請求項１〜６のいずれかに記載の方法。
【請求項８】  前記複数のセグメントが線形順序を形成し、前記セグメントの少なくとも１つが前記線形順序から外れて表示され、前記線形順序から外れて表示される前記セグメントの少なくとも１つを解読するための少なくとも変換制御語生成情報が、前記少なくとも１つのセグメントが表示に間に合うように解読されるように前記送信装置によって送信される請求項７に記載の方法。
【請求項９】  前記セグメントの前記少なくとも１つの少なくとも一部分が前記送信装置によって編集される請求項８に記載の方法。
【請求項１０】  前記部分が前記セグメント内の少なくとも１つのマーカに従って選択される請求項９に記載の方法。
【請求項１１】  前記少なくとも１つのマーカがＭＰＥＧ−２に従ってフォーマットされるデジタルメディアコンテント用のＩフレームである請求項１０に記載の方法。
【請求項１２】  前記部分が編集されるために前記送信装置において暗号化されない請求項９〜１１のいずれかに記載の方法。
【請求項１３】  前記送信装置が暗号化ヘッドエンドをさらに含み、前記暗号化ヘッドエンドが少なくとも前記制御語生成情報を変換して変換制御語生成情報を形成する請求項１〜１２のいずれかに記載の方法。
【請求項１４】  前記送信装置が送信サーバをさらに含み、前記送信サーバが前記暗号化メディアコンテントを送信する請求項１３に記載の方法。
【請求項１５】  前記送信サーバが前記変換制御語生成情報をさらに送信する請求項１４に記載の方法。
【請求項１６】  前記暗号化メディアコンテントが送信ストリームで送信され、前記変換制御語生成情報が前記送信ストリーム内に挿入される請求項１５に記載の方法。
【請求項１７】  前記変換制御語生成情報が前記暗号化コンテントとは別個に送信される請求項１５に記載の方法。
【請求項１８】  暗号化メディアコンテントを複数の送信装置によって送信するための方法であって、
デジタルメディアコンテントを暗号化して、暗号化メディアコンテントを形成するステップと、
前記暗号化メディアコンテントを前記送信装置の１つに転送するステップと、
前記送信装置の少なくとも１つの特徴に従って受信者に前記暗号化メディアコンテントを送信するための選択送信装置を選択するステップと、
前記暗号化メディアコンテントを前記選択送信装置によって前記受信者に送信するステップと
を含む方法。
【請求項１９】  前記受信者が前記暗号化メディアコンテントの送信要求を送るために前記複数の送信装置のうちの１つを選択する請求項１８に記載の方法。
【請求項２０】  前記選択送信装置が前記受信者へ配布可能なサービスの品質に従って選択される請求項１８または１９に記載の方法。
【請求項２１】  前記暗号化メディアコンテントの解読を可能にするために、少なくとも前記暗号化メディアコンテントを解読するための情報が送信される請求項１８〜２０のいずれかに記載の方法。
【請求項２２】  前記暗号化メディアコンテントがキーにより暗号化され、かつ少なくとも前記暗号化メディアコンテントを解読するための前記情報が前記キーに関連する請求項２１に記載の方法。
【請求項２３】  前記暗号化メディアコンテントがキーにより暗号化され、かつ少なくとも前記暗号化メディアコンテントを解読するための前記情報が別個の解読キーに関連する請求項２２に記載の方法。
【請求項２４】  少なくとも前記暗号化メディアコンテントを解読するための前記情報が前記送信装置によって前記暗号化メディアコンテントとは別個に送信される請求項２１〜２３のいずれかに記載の方法。
【請求項２５】  前記暗号化メディアコンテントを受信者に関連付けるステップをさらに含み、
少なくとも前記情報が、前記暗号化メディアコンテントを解読するためのキーを前記受信者に制御語生成情報から生成させることを可能にするための前記制御語生成情報を含む請求項２１〜２４のいずれかに記載の方法。
【請求項２６】  前記送信装置が少なくとも前記制御語生成情報を変換して変換制御語生成情報を形成する請求項２５に記載の方法。
【請求項２７】  前記変換制御語生成情報が少なくとも部分的に前記受信者の少なくとも１つの特徴に従って生成される請求項２６に記載の方法。
【請求項２８】  前記受信者が前記解読キーを生成するように、前記変換制御語生成情報が前記受信者に送られる請求項２７に記載の方法。
【請求項２９】  前記受信者だけが前記制御語生成情報を使用して前記送信された暗号化コンテントを解読することができるように、前記変換制御語生成情報が個人化される請求項２７または２８に記載の方法。
【請求項３０】  前記変換制御語生成情報が前記受信者からの要求により前記送信装置によって生成される請求項２７〜２９のいずれかに記載の方法。
【請求項３１】  少なくとも前記暗号化メディアコンテントを解読するための前記情報が前記送信装置によって前記暗号化メディアコンテントと共に送信される請求項２１〜２２または２５〜３０のいずれかに記載の方法。
【請求項３２】  前記暗号化メディアコンテントが複数のセグメントに分割され、各セグメントが異なるキーで暗号化され、少なくとも前記暗号化コンテントを解読するための情報が前記送信装置によって送信される請求項２１〜３１のいずれかに記載の方法。
【請求項３３】  前記複数のセグメントが線形順序を形成し、前記セグメントの少なくとも１つが前記線形順序から外れて表示され、前記線形順序から外れて表示される前記セグメントの少なくとも１つを解読するための情報が少なくとも、前記少なくとも１つのセグメントが表示に間に合うように解読されるように前記送信装置によって送信される請求項３２に記載の方法。
【請求項３４】  前記セグメントの前記少なくとも１つの少なくとも一部分が表示に充分に間に合って受信されるように前記送信装置によって編集される請求項３３に記載の方法。
【請求項３５】  前記部分が前記セグメント内の少なくとも１つのマーカに従って選択される請求項３４に記載の方法。
【請求項３６】  前記少なくとも１つのマーカがＭＰＥＧ−２に従ってフォーマットされるデジタルメディアコンテント用のＩフレームである請求項３５に記載の方法。
【請求項３７】  前記部分が編集されるために前記送信装置において暗号化されない請求項３４〜３６のいずれかに記載の方法。
【請求項３８】  前記送信装置が暗号化ヘッドエンドをさらに含み、前記暗号化ヘッドエンドが少なくとも前記制御語生成情報を変換して変換制御語生成情報を形成する請求項１８〜３７のいずれかに記載の方法。
【請求項３９】  前記送信装置が送信サーバをさらに含み、前記送信サーバが前記暗号化コンテントを送信する請求項３８に記載の方法。
【請求項４０】  前記送信サーバが前記変換制御語生成情報をさらに送信する請求項３９に記載の方法。
【請求項４１】  前記暗号化コンテントが送信ストリームで送信され、前記変換制御語生成情報が前記送信ストリーム内に挿入される請求項４０に記載の方法。
【請求項４２】  前記変換制御語生成情報が前記暗号化コンテントとは別個に送信される請求項４０に記載の方法。
【請求項４３】  暗号化デジタルメディアコンテントを個人化制御語生成情報と共に受信者に送信するための方法であって、
デジタルメディアコンテントを暗号化して、暗号化メディアコンテントを形成するステップと、
前記暗号化メディアコンテントを複数の送信装置の１つに転送するステップと、
前記受信者への前記デジタルメディアコンテントの送信要求を受信するステップと、
少なくとも部分的に前記受信者の少なくとも１つの特徴に従って生成され、前記暗号化メディアコンテントにアクセスするために使用することのできる、前記個人化制御語生成情報を生成するステップと、
前記個人化制御語生成情報を前記送信装置によって前記受信者に送信するステップと
を含む方法。
【請求項４４】  前記個人化制御語生成情報が前記受信者からの前記要求の受信により生成される請求項４３に記載の方法。
【請求項４５】  デジタルメディアコンテントを第１キーにより暗号化して、暗号化メディアコンテントを形成し、かつ前記個人化制御語生成情報が、前記受信者の少なくとも１つの特徴に従って少なくとも前記第１キーに関連する情報を前記個人化制御語生成情報に変換することによって生成される請求項４３または４４に記載の方法。
【請求項４６】  暗号化コンテントを個人化解読情報と共に送信するためのシステムであって、
（ａ）コンテントを一般キーで暗号化して暗号化コンテントを形成するためのコンテント暗号化装置と、
（ｂ）少なくとも解読情報を受信し、かつ送信装置が前記暗号化コンテントを解読しないように、少なくとも前記解読情報を変換することによって個人化解読情報を形成するための送信装置と
を含むシステム。
【請求項４７】  （ｃ）前記暗号化コンテントを受信するための受信者
をさらに含み、前記受信者だけが前記暗号化コンテントを解読するための前記個人化解読情報を使用することができる請求項４６に記載のシステム。
【請求項４８】  複数の送信装置を含み、前記送信装置の少なくとも１つの特徴に従って前記受信者に送信するための選択送信装置が選択される請求項４７に記載のシステム。
【請求項４９】  前記選択送信装置が前記受信者へのサービスの品質に従って選択される請求項４８に記載のシステム。
【請求項５０】  暗号化コンテント個人化解読情報を送信するためのシステムであって、
（ａ）コンテントを一般キーで暗号化して暗号化コンテントを形成するための暗号化手段と、
（ｂ）少なくとも前記解読情報を変換するための手段が前記暗号化コンテントを解読しないように、少なくとも解読情報を受信し、かつ少なくとも前記解読情報を変換して個人化解読情報を形成するための手段と
を含むシステム。
【請求項５１】  （ｃ）前記暗号化コンテントを受信するための受信手段
をさらに含み、前記受信手段だけが前記暗号化コンテントを解読するための前記個人化解読情報を使用することができる
請求項５０に記載のシステム。
【請求項５２】  暗号化メディアコンテントを送信するための送信装置であって、以下の操作：
（ａ）キーにより暗号化された暗号化メディアコンテント；および（ｂ）前記キーを生成するために使用することができる制御語を生成するための制御語生成情報を受信する、
エンドユーザクライアントが前記暗号化メディアコンテントを解読するための解読キーを生成できるように、前記制御語生成情報を変換して変換制御語生成情報を形成する、ただし、前記変換制御語生成情報は、前記エンドユーザクライアントだけが前記変換制御語生成情報を使用して前記暗号化メディアコンテントを解読することができるように個人化されている
を行うように配置された暗号化ヘッドエンド
を含み、前記送信装置は前記暗号化メディアコンテントおよび前記変換制御語生成情報を前記エンドユーザクライアントに送信する操作を行うように配置された送信サーバをさらに含む、送信装置。
【請求項５３】  前記変換制御語生成情報が少なくとも部分的に前記エンドユーザクライアントの特徴によって生成される請求項５２に記載の送信装置。
【請求項５４】  前記個人化制御語生成情報が少なくとも部分的に前記エンドユーザクライアントの特徴によって生成される請求項５３に記載の送信装置。
【請求項５５】  前記送信サーバが前記暗号化メディアコンテントおよび前記変換制御語生成情報を同時に前記エンドユーザクライアントに送信するためのビデオポンプをさらに含む請求項５２〜５４のいずれかに記載の送信装置。
【請求項５６】  前記送信サーバが前記暗号化メディアコンテントおよび前記変換制御語生成情報を別個に前記エンドユーザクライアントに送信するためのビデオポンプをさらに含む請求項５２〜５４のいずれかに記載の送信装置。
【請求項５７】  前記暗号化ヘッドエンドが暗号化解読情報を受信し、かつ前記暗号化解読情報を解読するための解読器をさらに含む請求項５２〜５６のいずれかに記載の送信装置。
【請求項５８】  暗号化メディアコンテントを送信するための送信装置であって、
（ａ）キーにより暗号化された暗号化メディアコンテント；および（ｂ）前記キーを生成するために使用することができる制御語を生成するための制御語生成情報を受信するための受信手段と、
エンドユーザクライアントが前記暗号化メディアコンテントを解読するための解読キーを生成できるように、前記制御語生成情報を変換して変換制御語生成情報を形成するための変換手段と、ただし、前記変換制御語生成情報は、前記エンドユーザクライアントだけが前記変換制御語生成情報を使用して前記暗号化メディアコンテントを解読することができるように個人化されている、
前記暗号化メディアコンテントおよび前記制御語生成情報を前記エンドユーザクライアントに送信するための送信手段と
を含む送信装置。